(57)【特許請求の範囲】
【請求項１】
地中に構築した地下水の導水構造体の下側に埋設され、前記導水構造体から流下した前記地下水を集水して排水する暗渠であって、
延在方向に貫通して排水流路が形成された暗渠本体と、
前記暗渠本体の上面と前記排水流路とを連通させる集水開口部と、
前記暗渠本体の上面の全周に亘って突設された水返し部と、
前記暗渠本体の一方の小口に突出形成され、前記排水流路に連なる接合凸部、および他方の小口に没入形成され、前記排水流路に連なる接合凹部と、を備え、
前記接合凸部は、止水ゴムが当接する段部を有する段付きテーパー形状に形成されていることを特徴とする暗渠。
【請求項２】
前記水返し部の内側面は、前記集水開口部側に下り傾斜となる傾斜面で構成され、
前記水返し部の外側面は、前記暗渠本体の各側面上部および各小口面上部と面一に形成されていることを特徴とする請求項１に記載の暗渠。
【請求項３】
前記水返し部の内側面は、前記集水開口部側に下り傾斜となる傾斜面で構成され、
前記水返し部の各延在方向部位の外側面は、前記暗渠本体の各側面上部と面一に形成され、
前記水返し部の各小口方向部位の外側面は、外側に下り傾斜となる傾斜面で構成されていることを特徴とする請求項１に記載の暗渠。
【請求項４】
前記集水開口部の複数個が、前記延在方向に沿って相互に平行に配設されていることを特徴とする請求項１ないし３のいずれかに記載の暗渠。
【請求項５】
前記複数個の前記集水開口部の間に位置して前記暗渠本体の上面に突設され、前記水返し部の両小口方向部位の間を結ぶ縦断突出部を、更に備えたことを特徴とする請求項４に記載の暗渠。
【請求項６】
前記暗渠本体の上面の少なくとも両小口側には、前記集水開口部が存在しない非開口部がそれぞれ配設されていることを特徴とする請求項１ないし５のいずれかに記載の暗渠。
【請求項７】
前記非開口部は、前記接合凸部側に位置する凸部側非開口部と、前記接合凹部側に位置する凹部側非開口部からなり、
前記凸部側非開口部における、前記接合凸部の基端と前記集水開口部の前記接合凸部側の端との間の距離と、前記凹部側非開口部における、前記接合凹部の奥端と前記集水開口部の前記接合凹部側の端との間の距離と、が前記延在方向において同一距離に形成されていることを特徴とする請求項６に記載の暗渠。
【請求項８】
前記集水開口部は、相互間に中間非開口部を存して前記延在方向に配設した複数の個別開口部を有していることを特徴とする請求項６または７に記載の暗渠。
【請求項９】
前記各中間非開口部の上面に突設され、前記水返し部の両延在方向部位間を結ぶ横断突出部を、更に備えたことを特徴とする請求項８に記載の暗渠。
【請求項１０】
前記複数の個別開口部は、各個別開口部間の距離が等しくなるように配設されていることを特徴とする請求項８または９に記載の暗渠。
【請求項１１】
前記延在方向において、前記集水開口部の長さが、前記排水流路の全長比１０％から９５％であることを特徴とする請求項１ないし１０のいずれかに記載の暗渠。
【請求項１２】
前記暗渠本体の両小口側の両側面には、隣接する暗渠との接合状態を維持するための接合部材がボルト留めされる小口側インサートナットがそれぞれ埋め込まれていることを特徴とする請求項１ないし１１のいずれかに記載の暗渠。
【請求項１３】
前記導水構造体は、導水用の空隙を構成した空隙部材を有し、
前記暗渠本体の上面には、前記集水開口部に臨むように前記空隙部材の下端部を固定するための固定部材がボルト留めされる上部インサートナットが埋め込まれていることを特徴とする請求項１ないし１２のいずれかに記載の暗渠。
【請求項１４】
請求項１ないし１３のいずれかに記載の暗渠と、
前記導水構造体と、を備えたことを特徴とする地下水の排水構造。
【請求項１５】
前記導水構造体は、前記暗渠の前記水返し部上に、前記延在方向に沿って相互に平行に載置された一対の壁体と、前記一対の壁体の間に配設され、導水用の空隙を構成した空隙部材と、を有し、
且つ、前記暗渠の延在方向に沿って埋設されると共に、地下水をせき止めるように埋設されていることを特徴とする請求項１４に記載の地下水の排水構造。
【請求項１６】
請求項１４または１５に記載の地下水の排水構造を複数連ねてなる暗渠排水ラインと、
前記複数連ねてなる暗渠排水ラインの要点検位置に介設した排水枡と、を備えたことを特徴とする地下水の排水網。
【発明の詳細な説明】
【技術分野】
【０００１】
本発明は、地中に埋設され、地下水を集水して排水するための暗渠、これを用いた地下水の排水構造および排水網に関する。
【背景技術】
【０００２】
従来、管内に連通する開口部を上面に有し、その開口部を挟むように一対の突出部が立設した定尺の暗渠が知られている（特許文献１参照）。この暗渠は、長手方向に複数接続して地中に埋設され、上側に埋設した任意の集水手段（透水性材料等）により導かれた地下水を、その上面で集水する。この上面に集水した地下水は、一対の突出部によって開口部に導かれ、さらに暗渠の内部流路に流下して排水されるようになっている。
【先行技術文献】
【特許文献】
【０００３】
【特許文献１】特開２００９−２１５８７２号公報
【発明の概要】
【発明が解決しようとする課題】
【０００４】
ところで、暗渠と暗渠との接続部分（接合部分）は、耐震性等を考慮して「接合代」が十分に確保されており、この部分から排水（地下水）が漏れ出ることはない。しかし、上記した従来の暗渠では、流下した地下水が勾配に従って上面を流れるときに、その一部が各突出部の存在しない当該接合部分（突き当てた相互の小口部分）の僅かな間隙から外部に流れ出してしまい、暗渠の内部へと地下水を効果的に導入することができず、集水効率が低下するという問題があった。特に、暗渠を埋設した後、地盤沈下や地震等によって接合部分に僅かな抜けが生じた場合に、各暗渠の上面に集水した地下水の小口部分からの流出が顕著となる。
【０００５】
本発明は、上面に集水した地下水の小口部分からの流出を抑制することのできる暗渠、これを用いた地下水の排水構造および排水網を提供することを課題とする。
【課題を解決するための手段】
【０００６】
本発明の暗渠は、地中に構築した地下水の導水構造体の下側に埋設され、導水構造体から流下した地下水を集水して排水する暗渠であって、延在方向に貫通して排水流路が形成された暗渠本体と、暗渠本体の上面と排水流路とを連通させる集水開口部と、暗渠本体の上面の全周に亘って突設された水返し部と、暗渠本体の一方の小口に突出形成され、排水流路に連なる接合凸部、および他方の小口に没入形成され、排水流路に連なる接合凹部と、を備え、接合凸部は、止水ゴムが当接する段部を有する段付きテーパー形状に形成されていることを特徴とする。
【０００７】
この構成によれば、水返し部が繞設された暗渠本体の上面が、導水構造体に導かれた地下水の受けとなり、暗渠本体の上面に集められた地下水は、当該上面に開口した集水開口部を介して排水流路に流れ込む。すなわち、暗渠ごとに繞設された水返し部の内側に集水した地下水は、暗渠本体の上面から漏れることなく排水流路に流下する。この場合、水返し部は暗渠本体の延在方向のみならず、小口方向にも設けられており、暗渠本体の上面に集水した地下水が、隣接する暗渠の相互の小口部分から漏れ、再び地中に流出してしまうことを確実に阻止することができる。特に、地震等の事後的な要因によって隣接した各暗渠同士が僅かに離間したとしても、小口部分からの地下水の流出を適切に防止することができる。したがって、地下水の集水効率が低下することがない。さらに、水返し部が繞設された暗渠本体の上面に導水構造体を臨ませることにより、水返し部が導水構造体の水平方向の移動（位置ずれ）を規制するため、側方からの土圧等による導水構造体と暗渠本体との位置ずれを抑制することができる。一方、上方からの導水構造体の荷重や土圧等に対し、小口方向の水返し部は梁として機能するため、暗渠全体として強度アップを図ることができる。なお、暗渠を製造する際の型抜きを考慮して、集水開口部は、下方に向い狭窄形状となっている。
【０００８】
なお、水返し部を、暗渠の排水勾配の下流側の小口方向と、当該下流側の暗渠本体の両側面の延在方向と、に突設してもよい。つまり、暗渠の排水勾配の下流側にのみ、水返し部を設けてもよい。この場合、集水した地下水は、排水勾配の下流側にのみ配設された水返し部により、暗渠本体の上面からの流出が阻止される。この構成は、暗渠の排水勾配が大きい場合に、特に有効である。
【０００９】
この場合、水返し部の内側面は、集水開口部側に下り傾斜となる傾斜面で構成され、水返し部の外側面は、暗渠本体の各側面上部および各小口面上部と面一に形成されていることが好ましい。
【００１０】
この構成によれば、地下水を受ける面、すなわち集水面積を最大限広く確保することができ、上面に流下した地下水を、漏れなく且つ効率良く集水することができる。なお、断面方向において、暗渠本体の上部から水返し部に至る部分を拡幅した形状としてもよい。
【００１１】
同様に、水返し部の内側面は、集水開口部側に下り傾斜となる傾斜面で構成され、水返し部の各延在方向部位の外側面は、暗渠本体の各側面上部と面一に形成され、水返し部の各小口方向部位の外側面は、外側に下り傾斜となる傾斜面で構成されていることが好ましい。
【００１２】
この構成によれば、地盤の不等沈下等によって隣接した各暗渠の接合部分で屈曲し「Ｖ」字型に変形した場合でも、小口側の水返し部の外側面を外側に傾斜させているため、各暗渠の互いの小口面の水返し部が接触し、この部分に応力集中が生ずることがない。これにより、各小口面の水返し部が破損することがない。また、「Ｖ」字型に変形した場合、隣接した暗渠の接合部分の下側が離間することとなるが、隣接した暗渠の接合部分で互いの水返し部が接触しづらくなるため、当該接合部分の下側の離間（抜け出し）を最小限に抑えることができる。さらに、水返し部の内側面を集水開口部側に下り傾斜させることで、暗渠を製造する際の型抜きが容易になるだけでなく、水返し部の構造的な強度を確保することができる。
【００１３】
また、この場合、集水開口部の複数個が、延在方向に沿って相互に平行に配設されていることが好ましい。
【００１４】
この構成によれば、地下水の集水面積に対する集水開口部の割合を大きくすることができ、集水した地下水の排水効率を向上させることができる。
【００１５】
この場合、複数個の集水開口部の間に位置して暗渠本体の上面に突設され、水返し部の両小口方向部位の間を結ぶ縦断突出部を、更に備えたことが好ましい。
【００１６】
この構成によれば、暗渠本体の上面に突設された縦断突出部は桁として機能するため、（特に上方からの）土圧に対する強度の高い暗渠を構成することができる。
【００１７】
また、この場合、暗渠本体の上面の少なくとも両小口側には、集水開口部が存在しない非開口部がそれぞれ配設されていることが好ましい。
【００１８】
ところで、集水開口部を大きく確保した方が、暗渠本体の上面に集水した地下水の排水効率は良好なものとなるが、この場合、暗渠の構造的な強度が低下してしまうという問題がある。
しかし、この構成によれば、非開口部が支えとなり、土圧により暗渠本体が排水流路内側に撓むことを防止することができる（いわゆる拝み止め）。これにより、暗渠の強度確保のために、鉄筋の量を増加させる必要もなく、暗渠本体（躯体）の肉厚を厚くする必要もないため、暗渠製造のコストを低廉にすることができる。そして、高い耐圧強度と、排水効率の良さと、を両立した暗渠を構成することができる。
【００１９】
この場合、非開口部は、接合凸部側に位置する凸部側非開口部と、接合凹部側に位置する凹部側非開口部からなり、凸部側非開口部における、接合凸部の基端と集水開口部の接合凸部側の端との間の距離と、凹部側非開口部における、接合凹部の奥端と集水開口部の接合凹部側の端との間の距離と、が延在方向において同一距離に形成されていることが好ましい。
【００２０】
この構成によれば、暗渠本体の両小口側に配設された凸部側非開口部および凹部側非開口部が梁やスラブとして機能するため、上方および両側方からの土圧に対する暗渠本体の強度を十分に確保することができる。また、接合凸部側および接合凹部側の耐圧強度のバランスを良好に維持することができ、暗渠本体の微小な歪みや応力集中等を防止することができる。
【００２１】
この場合、集水開口部は、相互間に中間非開口部を存して延在方向に配設した複数の個別開口部を有していることが好ましい。
【００２２】
この構成によれば、暗渠本体の上面から排水流路への地下水の排水性能を高く維持しつつ、暗渠の耐圧強度も高く確保できる。これにより、水返し部（特に小口側の水返し部）からの地下水のオーバーフローを防止でき、高い集水効率を維持することができる。また、隣接する個別開口部間の非開口部分は、両側壁の梁として機能するため、暗渠本体の耐圧強度を高く維持することができる。
【００２３】
また、この場合、各中間非開口部の上面に突設され、水返し部の両延在方向部位間を結ぶ横断突出部を、更に備えたことが好ましい。
【００２４】
この構成によれば、横断突出部を複数形成することで、暗渠本体の上面が勾配方向（延在方向）に細分化されるため、水返し部と横断突出部とで囲まれた各範囲における勾配の鉛直方向の距離の絶対値が小さくなる。したがって、暗渠を急勾配に配設した場合でも、水返し部および横断突出部の高さ（突出量）を低く抑えた状態で、水返し部と横断突出部とで囲まれる各範囲に、オーバーフローを防止しつつ所定量の地下水を貯留することができる。これにより、暗渠の構造（強度）に不利となる各個別開口部の開口面積を小さくしても、集水した地下水を排水流路へと漏れなく排水することができる。また、水返し部および横断突出部を低く形成することで、暗渠を製造する際の型抜きが容易になる。
さらに、横断突出部は、暗渠本体の上面において梁として機能するため、鉄筋量の増加等の補強をする（コストアップする）ことなく、延在方向（排水流路方向）に直交する方向および上方に対する耐圧強度の高い暗渠を構成することができる。
【００２５】
また、この場合、複数の個別開口部は、各個別開口部間の距離が等しくなるように配設されていることが好ましい。
【００２６】
この構成によれば、暗渠本体の上面に複数の個別開口部をバランス良く配置することで、暗渠全体における耐圧強度を均一にすることができる。また、複数の個別開口部間を等間隔に配設することで、暗渠の延在方向のどちらを勾配の上流側（または下流側）にしても、排水能力が変わることがない。これにより、勾配の方向によって個別開口部の配置を変更する必要がないため、暗渠の設計および製造に係る負担・コストの低減を図ることができる。さらに、施工者は、暗渠の向きを気にすることなく暗渠の埋設作業を行うことができる（施工者負担の軽減）。
【００２７】
この場合、延在方向において、集水開口部の長さが、排水流路の全長比１０％から９５％であることが好ましい。
【００２８】
この構成によれば、高い耐圧強度と、排水効率の良さとを、両立した暗渠を構成することができる。
【００２９】
この場合、暗渠本体の両小口側の両側面には、隣接する暗渠との接合状態を維持するための接合部材がボルト留めされる小口側インサートナットがそれぞれ埋め込まれていることが好ましい。
【００３０】
この構成によれば、隣接する暗渠のそれぞれの小口側インサートナットに接合部材を固定することにより、暗渠相互間の接合状態が維持される。これにより、埋設後に発生した地震等が原因で、暗渠間の接合部分において、一方の暗渠から他方の暗渠が必要以上に抜け出してしまうリスクを低減させることができる。なお、隣接する暗渠同士の接合は、許容範囲内（漏水しない範囲）の抜け出しを許容した状態でなされることが好ましい。また、小口側インサートナットに代えて、暗渠本体にインサートねじ（ボルト）等を埋め込んでもよい。
【００３１】
この場合、導水構造体は、導水用の空隙を構成した空隙部材を有し、暗渠本体の上面には、集水開口部に臨むように空隙部材の下端部を固定するための固定部材がボルト留めされる上部インサートナットが埋め込まれていることが好ましい。
【００３２】
この構成によれば、上面インサートナットにボルト留めした固定部材を介して空隙部材が集水開口部上に固定されるため、空隙部材を通じて集水された地下水は、適切に暗渠本体の上面に導かれ、集水開口部を介して排水流路に流入する。なお、上面インサートナットに代えて、暗渠本体の上面にインサートねじ（ボルト）等を埋め込んでもよい。
【００３３】
本発明の地下水の排水構造は、上記した暗渠と、導水構造体と、を備えたことを特徴とする。
【００３４】
この場合、導水構造体は、暗渠の前記水返し部上に、延在方向に沿って相互に平行に載置された一対の壁体と、一対の壁体の間に配設され、導水用の空隙を構成した空隙部材と、を有し、且つ、暗渠の延在方向に沿って埋設されると共に、地下水をせき止めるように埋設されていることが好ましい。
【００３５】
これらの構成によれば、広範囲の地下水を集水し、効率的に排水することができる。特に、地下水は、主に地山と盛土との境界に沿って流入してくるため、この境界付近に当該暗渠を埋設することで、地下水の集水の効率を向上させることができる。これにより、的確に地下水を排除することができ、地盤の安定性を向上させることができる。また、壁体は、水返し部上に載置されることで、壁体の底面は、水返し部に食い込む。これにより、壁体（導水構造体）は、水平方向（延在方向に直交する方向）にずれることなく固定される。
【００３６】
本発明の地下水の排水網は、上記した地下水の排水構造を複数連ねてなる暗渠排水ラインと、複数連ねてなる暗渠排水ラインの要点検位置に介設した排水枡と、を備えたことを特徴とする。
【００３７】
この構成によれば、地形に合わせて、柔軟に排水構造を構築することができると共に、適宜配設された排水枡により、暗渠排水ラインの維持管理（詰まり防止・点検等）が可能となる。排水枡の配設位置としては、例えば、一の暗渠排水ラインと他の暗渠排水ラインとの間やコーナー部分、その他暗渠排水ラインに所定の間隔で配設することが考えられる。
【図面の簡単な説明】
【００３８】
【図１】本発明の排水網の埋設範囲を示した模式図である。
【図２】本発明の第１実施形態に係る排水構造を模式的に示した断面図である。
【図３】本発明の第１実施形態に係る暗渠排水ラインを模式的に示した斜視図である。
【図４】本発明の第１実施形態に係る暗渠（長管型）の四面図である。
【図５】暗渠の端面を閉塞する凸部端面部材および凹部端面部材の取り付けを説明するための部分平面図である。
【図６】（ａ）は接合部材の平面図、（ｂ）は暗渠本体の上面に固定された固定部材および空隙部材の断面図である。
【図７】第１実施形態に係る暗渠の変形例を示した平面図および側面図である。
【図８】第１実施形態に係る暗渠の他の変形例を示した四面図である。
【図９】第１実施形態に係る短管型の暗渠を示した平面図および側面図である。
【図１０】第１実施形態に係る曲管型の暗渠を示した平面図および側面図である。
【図１１】本発明の第２実施形態に係る暗渠（長管型）の平面図および側面図である。
【図１２】本発明の第３実施形態に係る暗渠（長管型）の平面図および側面図である。
【図１３】本発明の第４実施形態に係る暗渠（長管型）の平面図および側面図である。
【図１４】本発明の第５実施形態に係る暗渠（長管型）の平面図および側面図である。
【発明を実施するための形態】
【００３９】
以下、添付した図面を参照して、本発明の第１実施形態に係る暗渠について説明する。この暗渠は、その上面で地中に構築した導水構造体から流下した地下水を受け、集水して排水する排水網に用いられるものである。そこで、先ず、地下水の排水網について説明する。
【００４０】
図１ないし図３に示すように、地下水の排水網１は、原地盤面である地山Ｍの上に埋め立てた盛土Ｈ中に埋設された暗渠排水ライン２と、各暗渠排水ライン２の要点検位置に介設された複数の排水枡３と、を備えている。谷筋に埋め立てた盛土Ｈの上には、宅地Ｅが造成され、各宅地Ｅを囲むように道路Ｒが設けられている。盛土Ｈの周縁部に設けられた道路Ｒの直下には、排水網１（暗渠排水ライン２）が埋設されている。そして、複数の排水枡３は、暗渠排水ライン２のコーナー部、合流部若しくは長い直線部分または排水勾配が極端に変化する部分等の要点検箇所に設けられている。このように配設された排水枡３により、排水網１の維持管理（詰り防止・点検等）が可能となっている。
【００４１】
暗渠排水ライン２は、暗渠５、および暗渠５に地下水を集水する導水構造体６を有する地下水の排水構造４から構成されている。暗渠排水ライン２は、地山Ｍの谷底の地形に合わせて広範囲に複数の排水構造４を連ねることで構築されており、主に地山Ｍの山側から流下する地下水を処理する。暗渠排水ライン２の下流側の端部は、河川等に連なっており、集水した地下水を河川等に放流することができるようになっている。他方、上流側の端部には、土砂等が入り込まないように端面部材８３，８４（図５参照）により閉塞されている。なお、上流側の端部に、排水枡３を設けるようにしてもよい。
【００４２】
地下水は、主に地山Ｍと盛土Ｈとの境界に沿って流れ、図２の符号Ｌ１で示す水位線まで盛土Ｈ中に蓄積することとなる。
そこで、本実施形態では、各排水構造４を構成する暗渠５を地山Ｍと盛土Ｈとの境界部分（境界付近を含む）に埋設することで、主に地山Ｍと盛土Ｈとの境界に沿って流れる地下水の集水および排水を効率良く行うことができるようになっている。これにより、図２の符号Ｌ２で示す水位線まで地下水の水位が下がり、盛土Ｈ中に地下水が蓄積することがなく、盛土Ｈを安定させることができる。
【００４３】
導水構造体６は、盛土Ｈ中に埋設された複数の土嚢６２が積層されて形成された一対の土嚢壁６１と、一対の土嚢壁６１に挟み込まれるように配設された空隙部材６３と、を有している。なお、盛土Ｈの上には路床Ｆおよび舗装Ｓがされ、上記の道路Ｒが形成される。
【００４４】
一対の土嚢壁６１は、暗渠５の延在方向に沿って、暗渠５の上面の両側部に突設された水返し部５４（詳細は後述する。）にそれぞれ載置され、互いに所定の間隙を有して対峙している。すなわち、一対の土嚢壁６１は、地山Ｍの山側と谷川とにそれぞれ各暗渠５の排水勾配の方向（延在方向）に沿って、主に地山Ｍの上流から流下する地下水をせき止めるように埋設されている。
【００４５】
各土嚢６２には、土嚢壁６１を埋設する際に掘削された掘削土が詰めてある。なお、土嚢壁６１（土嚢６２）は、盛土Ｈよりも透水性が高い材料で構成することが好ましく、掘削土（その他の土）に代えて、廃材、プラスチック、その他の代替物を土嚢６２への収納物としてもよい。
【００４６】
土嚢壁６１と土嚢壁６１との間隙には、導水用の空隙を構成した空隙部材６３が挟み込まれている。空隙部材６３は、盛土Ｈより透水性が高い材料であればよく、例えば、樹脂製の透水性材料、砕石、中空の構造体等で構成されている。このように、空隙部材６３が一対の土嚢壁６１に挟み込まれることにより、一対の土嚢壁６１の所定の間隙が確保され、盛土Ｈ中の地下水を効果的に吸収（集水）することができる。さらに、空隙部材６３の下端部は、暗渠５の上面に配設された複数の固定部材８５（詳細は後述する。）によって暗渠５の上面（集水開口部５２）に臨む位置に固定されている。これにより、空隙部材６３を伝わり流下する地下水は、確実に暗渠５へと導かれる。
【００４７】
次に、図４ないし図１０を参照して、暗渠５について詳細に説明する。以降、説明を簡単にするために、暗渠排水ライン２を真っ直ぐ構成する場合に用いられる直管型の暗渠５について説明する。なお、以下、各図において、暗渠５の長手方向を「Ｘ軸方向」と、これに直交する方向を「Ｙ軸方向」と、Ｘ軸方向およびＹ軸方向に直交する方向を「Ｚ軸方向」と、規定して説明する。図４に示すように、暗渠５は、Ｘ軸方向に貫通して排水流路７１が形成された暗渠本体５１と、暗渠本体５１の上面と排水流路７１とを連通させる集水開口部５２と、暗渠本体５１の上面の全周に亘って突設された水返し部５４と、を備えている。
【００４８】
暗渠本体５１は、略直方体形状の外観を有しており、その矩形断面の略中心部分には、円形断面の排水流路７１がＸ軸方向に沿って貫通形成されている。なお、排水流路７１の断面形状は、円形に限られたものではなく、矩形、楕円形（卵形）等でもよい。
【００４９】
また、暗渠本体５１は、その一方の小口に突出形成され、排水流路７１に連なる接合凸部７２と、他方の小口に没入形成され、排水流路７１に連なる接合凹部７３と、を備えている。接合凸部７２は、段部７２ａを有する段付きのテーパー形状に形成されている。接合凸部７２には、環状の止水ゴム（図示省略）が嵌合し、止水ゴムは、段部７２ａに当接している。他方、接合凹部７３は、接合凸部７２と略相補的なテーパー形状に形成されている。
【００５０】
各暗渠５間の接続（接合）は、一の暗渠５における接合凸部７２を、他の暗渠５における接合凹部７３に嵌合させることで行われる。これにより、止水ゴムの部分で接合凸部７２と接合凹部７３とが密着し、各暗渠５は互いに止水状態で接合される。各暗渠５間の接合部分は、地震等によって、接合凸部７２が接合凹部７３から僅かに（数ｍｍ〜数ｃｍ程度）抜け出した場合でも止水性能が低下しないように構成されており、かつ、十分な「接合代」（本実施形態では、約６０ｍｍ）が確保されている。すなわち、数ｍｍ〜数ｃｍ程度の許容範囲内での抜け出しを許容する構造（差し込み形式）となっている。なお、接合した際に、暗渠５相互間の小口面が密接するように、接合凸部７２の長さは、接合凹部７３の没入部分の長さよりも僅かに（数ｍｍ）短く形成されている。また、接合凸部７２および接合凹部７３の各テーパーの傾斜角度は、暗渠５の製造時の型抜き、および、暗渠５同士の接合作業が容易となるように設計されている。
【００５１】
また、暗渠本体５１の両小口側の両側面には、隣接する暗渠５との接合状態を維持するための接合部材８１がボルト留めされる複数の小口側インサートナット７４がそれぞれ埋め込まれている。小口側インサートナット７４は、各側面においてＺ軸方向に２箇所に並んで配設されている。
【００５２】
なお、図５に示すように、暗渠排水ライン２の上流端に位置する暗渠５には、接合凸部７２側または接合凹部７３側の小口面に複数の端面インサートナット７５が埋め込まれている。そして、接合凸部７２側または接合凹部７３に対し、止水部材８２（環状の止水ゴム）を介して凸部端面部材８３または凹部端面部材８４を係合させ、各端面インサートナット７５にボルトで固定することで、接合凸部７２側または接合凹部７３側が閉塞される。この場合、端面部材８３，８４により閉塞される側の小口側インサートナット７４は省略される。なお、言うまでもないが、各小口側インサートナット７４および各端面インサートナット７５は、暗渠５を製造する際、型（仮枠）にセットした状態でコンクリートを流し込むことで暗渠５に埋め込まれる。
【００５３】
図６（ａ）に示すように、接合部材８１は、金属製の矩形に形成された板状の部材であり、その両端には、ボルトが貫通する一対の孔が開口している。接合部材８１は、隣接する各暗渠５の小口側インサートナット７４に対し、ボルトでそれぞれ固定される（図３参照）。すなわち、隣接する暗渠５相互間の接合は、４枚の接合部材８１を各小口側インサートナット７４にボルト留めすることで行われる。この一対の孔のうち、一方の孔は、円形に形成され、他方の孔は、Ｘ軸方向に長辺を有する楕円形に形成されている。接合部材８１の孔の１つが楕円形に形成されているため、隣接する暗渠５相互間では、許容範囲内（漏水しない範囲）の抜け出しは許容される。これにより、接合部分にフレキシブル性を持たせ得ると共に、万が一、許容範囲より大きな抜け出しが生じ得る地盤の変形（地震等）が生じた場合でも、許容範囲以上の抜け出しを有効に阻止することができる。なお、小口側インサートナット７４および各端面インサートナット７５の配設数は任意であり、接合部材８１の材質および形状も任意である。また、小口側インサートナット７４および各端面インサートナット７５に代えて、暗渠本体５１にインサートねじ（ボルト）等を埋め込んでもよい。
【００５４】
また、図４に示すように、暗渠本体５１の上面には、集水開口部５２上に臨むように空隙部材６３の下端部を固定するための固定部材８５がボルト留めされる上部インサートナット７６が、複数埋め込まれている。複数の上部インサートナット７６は、集水開口部５２のＹ軸方向の両端から逃げた部分に、それぞれＸ軸方向に沿って等間隔に３つずつ埋め込まれている。なお、上部インサートナット７６の配設数は任意である。また、詳細な説明は省略するが、暗渠本体５１の上面には、玉掛用の治具（リング治具）を取り付けるための取付治具７７が埋め込まれている。
【００５５】
図６（ｂ）に示すように、固定部材８５は、Ｌ字型の金具であり、各上部インサートナット７６にボルトで固定され、集水開口部５２上に臨んだ空隙部材６３をＹ軸方向両側面から挟み込むように配設されている。そして、空隙部材６３は、Ｙ軸方向の一方から貫通したボルトにナットを螺合させることで、複数の固定部材８５に対して固定される。このように、上部インサートナット７６および固定部材８５を介して空隙部材６３が集水開口部５２上に臨むように固定されるため、空隙部材６３を通じて集水された地下水は、適切に暗渠本体５１の上面に導かれ、集水開口部５２を介して排水流路７１に流入する。なお、上部インサートナット７６に代えて、暗渠本体５１の上面にインサートねじ（ボルト）等を埋め込んでもよい。
【００５６】
図４に示すように、集水開口部５２は、暗渠本体５１の上面から排水流路７１に貫通した複数の個別開口部５２ａを有している。そして、各個別開口部５２ａが存在しない暗渠本体５１の上面は、非開口部５３となっている。本実施形態では、平面視矩形に開口した４つの個別開口部５２ａが、暗渠本体５１の上面のＹ軸方向の中央において、Ｘ軸方向に沿って１列に並んで配設されている。このように、複数の個別開口部５２ａを有することで、暗渠本体５１の上面から排水流路７１への地下水の排水性能を高く維持しつつ、暗渠５の耐圧強度も高く確保できる。これにより、水返し部５４（特に小口方向部位５４ａ）からの地下水のオーバーフローを防止でき、高い集水効率を維持することができる。
【００５７】
また、各個別開口部５２ａは、上から下に向って狭窄した形状に開口している。このように、集水開口部５２を下方に向かって狭窄形状とすることで、暗渠５を製造する際の型抜きが容易になる。
【００５８】
なお、集水開口部５２（個別開口部５２ａ）の形状および形成数は任意であり、少なくとも１つが形成されていればよいため、例えば、図７に示すような構成であってもよい。また、図示は省略するが、Ｘ軸方向に沿う集水開口部５２をＹ軸方向に複数個並べて形成してもよいし、個別開口部５２ａをマトリクス状や千鳥状に形成してもよく、集水開口部５２（個別開口部５２ａ）を大きくまたは（および）多数形成することで地下水の排水効率が良好となる。
しかし、暗渠本体５１の上面に対する集水開口部５２の開口部分が拡大すると、暗渠５の構造的な強度が低下してしまうという問題があるため、本実施形態では、非開口部５３を設け、支えとすることで、土圧により暗渠本体５１が排水流路７１内側に撓むことを防止している（いわゆる拝み止め）。これにより、暗渠５の強度確保のために、鉄筋の量を増加させる必要もなく、暗渠本体５１（躯体）の肉厚を厚くする必要もないため、暗渠５の製造のコストを低廉にすることができる。
【００５９】
非開口部５３は、個別開口部５２ａが存在しない暗渠本体５１の上面であり、各個別開口部５２ａの相互間に設けられた複数の中間非開口部５３ａと、接合凸部７２側に位置する凸部側非開口部５３ｂと、接合凹部７３側に位置する凹部側非開口部５３ｃと、を有している。非開口部５３は、両側壁の梁として機能するため、暗渠本体５１の耐圧強度を高く維持することができる。なお、上記した図７に示すような構成の暗渠５の場合、その構成上、中間非開口部５３ａは存在しない。
【００６０】
複数の中間非開口部５３ａ（本実施形態では３つ）は、Ｘ軸方向の長さがそれぞれ等しく形成されている。すなわち、各個別開口部５２ａは、等間隔に配設されている。これにより、暗渠本体５１の上面に複数の個別開口部５２ａがバランス良く配置されるため、暗渠５全体における耐圧強度を均一にすることができ、高い耐圧強度と、排水効率の良さと、を両立した暗渠５を構成することができる。また、複数の個別開口部５２ａ間を等間隔に配設することで、暗渠５の小口のどちらを勾配の上流側（または下流側）にしても、排水能力が変わることがない。これにより、勾配の方向によって個別開口部５２ａの配置を変更する必要がないため、暗渠５の設計および製造に係る負担・コストの低減を図ることができる。さらに、施工者は、暗渠５の向きを気にすることなく暗渠５の埋設作業を行うことができる（施工者負担の軽減）。
【００６１】
また、本実施形態では、凸部側非開口部５３ｂにおける、接合凸部７２の基端と集水開口部５２の接合凸部７２側の端との間の距離（図４において「Ａ」と表示）と、凹部側非開口部５３ｃにおける、接合凹部７３の奥端と集水開口部５２の接合凹部７３側の端との間の距離（図４において「Ａ´」と表示）と、が延在方向において同一距離に形成されている。これにより、暗渠本体５１の両小口側に配設された凸部側非開口部５３ｂおよび凹部側非開口部５３ｃが梁やスラブとして機能するため、上方および両側方からの土圧に対する暗渠本体５１の強度を十分に確保することができる。また、接合凸部７２側および接合凹部７３側の耐圧強度のバランスを良好に維持することができ、暗渠本体５１の微小な歪みや応力集中等を防止し、各暗渠５相互間の接合状態を良好に維持することができる。
【００６２】
なお、詳細には、水返し部５４の各小口方向部位５４ａ（後述する。）は、接合凸部７２側では、凸部側非開口部５３ｂの直上に配置され、接合凹部７３側では、この接合凹部７３側の直上に配置されている。また、各中間非開口部５３ａが同一長に形成され、かつ、凸部側非開口部５３ｂおよび凹部側非開口部５３ｃが同一長に形成されているため、図４において右側の個別開口部５２ａは、他の個別開口部５２ａよりも短く形成されている。
【００６３】
なお、本実施形態では、Ｘ軸方向において、集水開口部５２の長さ（複数の個別開口部５２ａの長さの総計）が、排水流路７１の全長比１０％以上９５％以下になるように形成されている。これにより、高い耐圧強度と、排水効率の良さとを、両立した暗渠５を構成することができる。なお、より好ましい排水流路７１の全長比４０％以上６０％以下である。
【００６４】
水返し部５４は、暗渠本体５１の上面の外周に沿って、暗渠本体５１の上面から突出するように設けられており、各小口側においてＹ軸方向に沿って立設した小口方向部位５４ａと、各側面側においてＸ軸方向に沿って立設した延在方向部位５４ｂと、で一体に形成されている。このように、水返し部５４が繞設された暗渠本体５１の上面が、導水構造体６（空隙部材６３）に導かれた地下水の受けとなり、暗渠本体５１の上面に集められた地下水は、当該上面に開口した集水開口部５２（複数の個別開口部５２ａ）を介して、上面から漏れることなく排水流路７１に流れ込む。
【００６５】
各小口方向部位５４ａは、内側面を集水開口部５２側に下り傾斜となる傾斜面とし、他方、外側面を小口面と面一に形成し、略台形の断面を有している。同様に各延在方向部位５４ｂは、内側面を集水開口部５２側に下り傾斜となる傾斜面とし、他方、外側面を暗渠本体５１の各側面と面一に形成し、略台形断面を有している。このように、各小口方向部位５４ａおよび各延在方向部位５４ｂを略台形断面とすることで、暗渠５を製造する際の型抜きが容易になるだけでなく、水返し部５４の構造的な強度を確保することができる。
【００６６】
また、水返し部５４は、暗渠本体５１の上面の外周に沿って水返し部５４が繞設されているため、地下水を受ける面積を最大限広く確保することができ、暗渠本体５１の上面に流下した地下水を漏れなく且つ効率良く集水することができる。さらに、小口方向部位５４ａは、上方からの導水構造体６の荷重や土圧等に対し、梁として機能するため、暗渠５全体として強度アップを図ることができる。なお、図８に示すように、暗渠本体５１の上面において、両側面から内側に水返し部５４を設けてもよい。しかし、集水効率を考慮した場合には、上記のように暗渠本体５１の上面の外周に沿って水返し部５４を繞設することが好ましく、さらには、断面方向において、暗渠本体５１の上部から水返し部５４に至る部分を拡幅した形状（図示省略）としてもよい。
【００６７】
さらに、一対の土嚢壁６１の最下層の土嚢６２は、延在方向部位５４ｂの上に載置される。最下層の各土嚢６２の底面は、各延在方向部位５４ｂに食い込むため、各土嚢壁６１の最下層の土嚢６２のＹ軸方向への位置ずれが阻止される（図２および図３参照）。これにより、各土嚢壁６１のＹ軸方向への位置ずれを防止することができる。
【００６８】
以上の構成によれば、水返し部５４は暗渠本体５１の延在方向のみならず、小口方向にも設けられており、暗渠本体５１の上面に集水した地下水が、隣接する暗渠５の相互の小口部分から漏れ、再び地中に流出してしまうことを確実に阻止することができる。特に、地震等の事後的な要因によって隣接した各暗渠５同士が僅かに離間したとしても、小口部分からの地下水の流出を適切に防止することができる。したがって、地下水の集水効率が低下することがない。また、上方からの導水構造体６の荷重や土圧等に対し、小口方向部位５４ａは梁として機能するため、暗渠５全体として強度アップを図ることができる。
【００６９】
なお、第１実施形態の暗渠５では、水返し部５４が暗渠本体５１の上面の外周に繞設されていたが、水返し部５４を、暗渠５の排水勾配の下流側の小口方向部位５４ａと、排水勾配の下流側にのみに突設した延在方向部位５４ｂと、で構成するようにしてもよい。つまり、暗渠５の排水勾配の上流側の小口方向部位５４ａを省略し、排水勾配の下流側にのみ水返し部５４を設けてもよい。この場合、集水した地下水は、排水勾配の下流側にのみ配設された水返し部５４により、暗渠本体５１の上面からの流出が阻止される。この構成は、暗渠５の排水勾配が大きい場合に、特に有効である。
【００７０】
また、これまで説明してきた直管型の暗渠５は、長管型（本実施形態では、長さ２ｍ）の他に、図９に示すように、長管型の半分の長さ（長さ１ｍ）の短管型の暗渠５も存在する。この短管型の暗渠５には、Ｘ軸方向に沿って１列に並んだ２つの個別開口部５２ａが開口している。なお、個別開口部５２ａの開口数以外は、長管型の暗渠５と同様であるため詳細な説明は省略する。また、直管型の暗渠５の長さ（Ｘ軸方向の長さ）は任意に設定してよい。
【００７１】
さらに、直管型の暗渠５の他に、図１０に示すように、曲管型の暗渠５も存在する。この曲管型の暗渠５には、暗渠本体５１の上面の略中央に円形の集水開口部５２が開口している。なお、屈曲していること、集水開口部５２の形状および開口数以外は、直管型の暗渠５と同様であるため詳細な説明は省略する。また、図１０には、屈曲角度が１５°の暗渠５を示しているが、屈曲角度および屈曲する方向は任意に設定してよい。
【００７２】
直管型（長管型、短管型）および曲管型の各暗渠５を任意に連ねて暗渠排水ライン２を形成することで、地下水の排水網１は、地形に合わせて構成される。
【００７３】
（第２実施形態）
図１１を参照して、第２実施形態に係る暗渠５について説明する。なお、第１実施形態に係る暗渠５と同様の構成部分の説明は省略する。
この暗渠５において水返し部５４の各小口方向部位５４ａは、内側面だけでなく、外側面も外側に下り傾斜となる傾斜面（以下、面取り部５５と呼ぶ。）が形成され、台形の断面を有している。このように、各小口方向部位５４ａをテーパー形状とすることで、暗渠５を製造する際の型抜きが更に容易になる。また、各小口方向部位５４ａに面取り部５５を設けることで、地盤の不等沈下等によって隣接した各暗渠５の接合部分で屈曲し「Ｖ」字型に変形した場合でも、各暗渠５の互いの小口方向部位５４ａが接触し、この部分に応力集中が生ずることがない。これにより、各小口方向部位５４ａが破損することがない。また、「Ｖ」字型に変形した場合、隣接した暗渠５の接合部分の下側が離間することとなるが、隣接した暗渠５の接合部分で互いの小口方向部位５４ａが接触しづらくなるため、当該接合部分の下側の離間（抜け出し）を最小限に抑えることができる。なお、小口方向部位５４ａと同様に、各延在方向部位５４ｂの外側面を傾斜面として（面取りして）もよい。
【００７４】
（第３実施形態）
図１２を参照して、第３実施形態に係る暗渠５について説明する。なお、第１実施形態に係る暗渠５と同様の構成部分の説明は省略する。
この暗渠５は、複数（４つ）の個別開口部５２ａからなる集水開口部５２がＹ軸方向に２列並んで形成されている。すなわち、８つの個別開口部５２ａがマトリクス状に形成されている。そして、一対の集水開口部５２の間には、暗渠本体５１の上面に突設され、水返し部５４の両小口方向部位５４ａの間を結ぶ縦断突出部５６が設けられている。この縦断突出部５６は桁として機能するため、（特に上方からの）土圧に対する強度の高い暗渠５を構成することができる。なお、集水開口部５２（複数の個別開口部５２ａ）を２列以上形成した場合、縦断突出部５６は、任意の集水開口部５２の間に形成してよい。例えば、４列の集水開口部５２を形成した場合には、縦断突出部５６を、それぞれの列の間に設けてもよいし、２列毎に設けてもよい。また、縦断突出部５６は、左右（Ｙ軸方向）非対称となる位置に設けてもよいが、重量や排水のバランスを考慮すると左右対称となる位置に設けることが好ましい。
【００７５】
（第４実施形態）
図１３を参照して、第４実施形態に係る暗渠５について説明する。なお、第１実施形態に係る暗渠５と同様の構成部分の説明は省略する。
この暗渠５は、第１実施形態に係る暗渠５の各中間非開口部５３ａの上面に、水返し部５４の両延在方向部位５４ｂの間を結ぶ横断突出部５７が突設されている。このように、横断突出部５７を複数形成することで、暗渠本体５１の上面が勾配方向（Ｘ軸方向）に細分化されるため、水返し部５４と横断突出部５７とで囲まれた各範囲における勾配の鉛直方向の距離の絶対値が小さくなる。したがって、暗渠５を急勾配に配設した場合でも、水返し部５４および横断突出部５７の高さ（突出量）を低く抑えた状態で、水返し部５４と横断突出部５７とで囲まれる各範囲に、オーバーフローを防止しつつ所定量の地下水を貯留することができる。これにより、各個別開口部５２ａの開口面積を小さくしても、集水した地下水を排水流路７１へと漏れなく排水することができるため、暗渠５の構造（強度）に不利となることがない。また、水返し部５４および横断突出部５７を低く形成することで、暗渠５を製造する際の型抜きが容易になる。さらに、横断突出部５７は、暗渠本体５１の上面において梁として機能するため、鉄筋量の増加等の補強をする（コストアップする）ことなく、上方およびＹ軸方向に対する耐圧強度の高い暗渠５を構成することができる。
【００７６】
（第５実施形態）
また、図１４に示すように、第３実施形態に係る縦断突出部５６と、第４実施形態に係る横断突出部５７と、を備えた構成としてもよい。これにより、地下水の集水効率および排水効率の高く維持しつつ、高い耐圧強度を備えた暗渠５を構成することができる。
【００７７】
なお、言うまでもないが、第３実施形態ないし第５実施形態に係る暗渠５の各小口方向部位５４ａに、第２実施形態の面取り部５５を形成してもよい。また、上記した第２実施形態ないし第５実施形態に係る暗渠５の説明および図示は、長管型の暗渠５に係るものであったが、短管型または曲管型の暗渠５を構成することもできる。
【符号の説明】
【００７８】
１：排水網、２：暗渠排水ライン、３：排水枡、４：排水構造、５：暗渠、６：導水構造体、５１：暗渠本体、５２：集水開口部、５２ａ：個別開口部、５３：非開口部、５３ａ：中間非開口部、５３ｂ：凸部側非開口部、５３ｃ：凹部側非開口部、５４：水返し部、５４ａ：小口方向部位、５４ｂ：延在方向部位、５６：縦断突出部、５７：横断突出部、６１：土嚢壁、６３：空隙部材、７１：排水流路、７２：接合凸部、７３：接合凹部、７４：小口側インサートナット、７６：上部インサートナット
【図１】
0005616678.tif 000002
【図２】
0005616678.tif 000003
【図３】
0005616678.tif 000004
【図４】
0005616678.tif 000005
【図５】
0005616678.tif 000006
【図６】
0005616678.tif 000007
【図７】
0005616678.tif 000008
【図８】
0005616678.tif 000009
【図９】
0005616678.tif 000010
【図１０】
0005616678.tif 000011
【図１１】
0005616678.tif 000012
【図１２】
0005616678.tif 000013
【図１３】
0005616678.tif 000014
【図１４】
0005616678.tif 000015